(57)【特許請求の範囲】
【請求項１】
ディスク状記録媒体と、
上記ディスク状記録媒体を回転可能に収納する円形をなす媒体収納部と上記ディスク状記録媒体の少なくとも一部を外方に臨ませる開口部が設けられたカートリッジ本体と、
上記媒体収納部が設けられた領域内で上記カートリッジ本体の主面に沿って回動されて少なくとも上記開口部を開閉する第１及び第２のシャッタ部材とを備え、
上記第１のシャッタ部材は、上記カートリッジ本体に設けられた上記媒体収納部に沿って回動可能に支持され、
上記第２のシャッタ部材は、上記第１のシャッタ部材に相対関連して回動するように上記カートリッジ本体に支持され、上記第１のシャッタ部材が上記開口部を覆う第１の位置に移動されたとき、上記第１のシャッタ部材の一側に密接して上記開口部を覆い、上記第１のシャッタ部材が上記開口部を開放する第２の位置に回動されたるとき上記開口部を開放する位置に上記第１のシャッタ部材とともに回動され、
上記第１のシャッタ部材は、上記開口部を開放する上記第２の位置に回動されたとき、上記開口部の幅方向の側端面に上記一側が一致する形状とされていることを特徴とするディスクカートリッジ。
【請求項２】
上記第２のシャッタ部材は、上記第１のシャッタ部材に設けた係合保持部に一部を係合保持させることによって、第１のシャッタ部材に相対関連して回動するように上記カートリッジ本体に配設されたことを特徴とする請求項１記載のディスクカートリッジ。
【請求項３】
上記開口部は、上記ディスク状記録媒体の信号記録領域の少なくとも内外周に亘って外方に臨ませるとともに、上記ディスク状記録媒体の中心部を外方に臨ませるように形成されたことを特徴とする請求項１記載のディスクカートリッジ。
【請求項４】
上記開口部は、上記ディスク状記録媒体の信号記録領域の少なくとも内外周に亘って外方に臨ませる部分と、上記ディスク状記録媒体の中心部を外方に臨ませる部分が一連に連続して形成されたことを特徴とする請求項２記載のディスクカートリッジ。
【請求項５】
上記カートリッジ本体は、互いに突き合わせ結合される上ハーフと下ハーフとからなることを特徴とする請求項１記載のディスクカートリッジ。
【請求項６】
上記カートリッジ本体の一の側面が中央部を膨出させた一連に連続した円弧状部として形成されたことを特徴とする請求項１記載のディスクカートリッジ。
【請求項７】
上ハーフと下ハーフとを互いに突き合わせ結合したカートリッジ本体内にディスク状記録媒体を回転可能に収納したディスクカートリッジであり、
上記ディスク状記録媒体の信号記録領域の少なくとも内外周に亘って外方に臨ませる上記カートリッジ本体に設けられた記録及び／又は再生用の開口部と、
上記ディスク状記録媒体を回転駆動する回転駆動手段を進入させる上記カートリッジ本体に設けられた駆動用開口部と、
主に上記記録及び／又は再生用の開口部を開閉する第１のシャッタ部材と、主に上記駆動用開口部を開閉する第２のシャッタ部材とを有し、上記第１のシャッタ部材は、上記記録及び／又は再生用の開口部を開放する位置に回動されたとき、上記記録及び／又は再生用の開口部の幅方向の側端面に、上記記録及び／又は再生用の開口部の閉塞時に上記第２のシャッタ部材と密接する一側が一致する形状とされているシャッタ機構とを備え、
上記カートリッジ本体の一の側面が中央部を膨出させた一連に連続した円弧状面として形成されてなるディスクカートリッジ。
【請求項８】
上記記録及び／又は再生用の開口部と上記駆動用開口部は、一つの連続した開口として形成されていることを特徴とする請求項７記載のディスクカートリッジ。
【請求項９】
上記第１及び第２のシャッタ部材は、上記記録及び／又は再生用の開口部と上記駆動用開口部を閉塞する位置に移動されたとき、互いの一側に互いに重なり合うオーバーラップ部が設けられていることを特徴とする請求項７記載のディスクカートリッジ。
【請求項１０】
直径を略１２０ｍｍとなすディスク状記録媒体を回転可能に収納する略円形をなす記録媒体収納部が設けられるとともに上記記録媒体収納部に収納された上記ディスク状記録媒体の少なくとも一部を内外周に亘って外方に臨ませる開口部が設けられカートリッジ本体と、上記カートリッジ本体の主面に沿って移動されて上記開口部を開閉する第１及び第２のシャッタ部材とを有するディスクカートリッジにおいて、
上記第１のシャッタ部材は、その一端部が上記記録媒体収納部を構成する円弧状をなす収納部形成壁の外周面に沿って形成された溝部に移動可能に支持され、上記溝部に沿って移動することにより上記開口部を開閉し、上記開口部を開放する位置に回動されたとき、上記開口部の幅方向の側端面に、上記開口部の閉塞時に上記第２のシャッタ部材と密接する一側が一致する形状とされていることを特徴とするディスクカートリッジ。
【請求項１１】
上記カートリッジ本体は、一辺を１２５ｍｍ〜１２８ｍｍの範囲にある略矩形状に形成されたことを特徴とする請求項１０記載のディスクカートリッジ。
【請求項１２】
上記カートリッジ本体は、一の側面が中央部を膨出させた一連に連続した円弧状面として形成され、この円弧状面に隣り合う相対向する側面を互いに平行な平坦な面として形成され、上記開口部は、上記カートリッジ本体の中央部近傍が上記円弧状面の近傍に亘って形成されていることを特徴とする請求項１０記載のディスクカートリッジ。
【請求項１３】
上記円弧状面の一辺が上記カートリッジ本体の一辺の長さを半径とする円弧状であることを特徴とする請求項１０記載のディスクカートリッジ。
【請求項１４】
上記円弧状面となされる一の側面に対向する他の側面が上記位置の側面より大きな半径を有する円弧状面とであることを特徴とする請求項１０記載のディスクカートリッジ。
【発明の詳細な説明】
【０００１】
【発明の属する技術分野】
本発明は、光ディスクや光磁気ディスク等のディスク状記録媒体を収納し、ディスク状記録媒体とともに記録及び／又は再生装置に装着されるディスクカートリッジに関する。
【０００２】
【従来の技術】
従来、光ディスクや光磁気ディスク、あるいは磁気ディスクを収納し、これらでとともに記録及び／又は再生装置に装着されるディスクカートリッジが広く用いられている。
【０００３】
この種のディスクカートリッジとして、米国特許第４，５１０，５４６号明細書や米国特許第４，８７６，６１９号明細書に記載されるようなものが知られている。
【０００４】
この明細書に記載されるディスクカートリッジは、矩形状をなすカートリッジ本体内に情報記録媒体となるディスクを回転可能に収納している。カートリッジ本体には、収納したディスクの一部を内外周に亘って外方に臨ませる記録及び／又は再生用の開口部が設けられている。このカートリッジ本体には、カートリッジ本体の前面に沿って移動して記録及び／又は再生用の開口部を開閉する断面コ字状をなすシャッタ部材が取り付けられている。
【０００５】
また、磁気ディスクを収納したディスクカートリッジとして、米国特許第４，６１４，９９０号明細書に記載されるようなものが知られている。
【０００６】
この明細書に記載されるディスクカートリッジも、矩形状をなすカートリッジ本体内に情報記録媒体となるディスクを回転可能に収納している。カートリッジ本体には、収納したディスクの一部を内外周に亘って外方に臨ませる記録及び／又は再生用の開口部が設けられている。このディスクカートリッジは、カートリッジ本体の大きさに比し大きな記録及び／又は再生用の開口部が設けられている。
【０００７】
更に、情報記録媒体となるディスクを収納したディスクカートリッジとして、米国特許第５，５７０，２５２号明細書に記載されるようなものが知られている。この明細書に記載されるディスクカートリッジは、ディスクを収納したカートリッジ本体の一の側面に開口部を設け、この開口部を介して情報信号の記録及び／又は再生を行うヘッドをカートリッジ内に進入させてディスクの信号記録領域が形成された主面に摺設するようにしている。このディスクカートリッジにあっては、開口部を開閉するシャッタ部材は、カートリッジ本体の側面に沿って移動するように取り付けられている。
【０００８】
【発明が解決しようとする課題】
ところで、上記米国特許第４，５１０，５４６号明細書や米国特許第４，８７６，６１９号明細書に記載されるディスクカートリッジは、記録及び／又は再生用の開口部をカートリッジ本体の幅方向の中央部に設け、この開口部を開閉するシャッタ部材をカートリッジ本体の前面に沿って移動するように取り付けているので、カートリッジ本体に比し大きな開口部を設けることが困難である。
【０００９】
また、米国特許第４，６１４，９９０号明細書に記載されるディスクカートリッジは、シャッタ部材の移動方向を挿入方向として記録及び／又は再生装置へ挿入されるので、このディスクカートリッジが用いられる記録及び／又は再生装置に配設される光ピックアップ装置などの記録及び／又は再生機構は、ディスクカートリッジの挿入方向に直交する方向に移動して記録媒体を走査するので、記録及び／又は再生機構が記録媒体の外周側を走査するとき、ディスクカートリッジが装着される領域から外方に一部が突出するため、記録及び／又は再生装置の幅が大きくなり記録及び／又は再生装置の幅が大きくなってしまう。
【００１０】
更に、米国特許第５，５７０，２５２号明細書に記載されるものは、カートリッジ本体の側面に設けた幅の狭い開口部を介して磁気ヘッドをカートリッジ本体内に挿入するようにしているので、用いる記録及び／又は再生機構に制約を受けてしまう。このディスクカートリッジは、光ピックアップ装置を用いる光ディスクを収納するものに適用することは極めて困難である。また、シャッタ部材も、幅が狭く、幅に比し長い開口部を開閉するように構成されているため、幅狭で長尺に形成されるため、安定した移動操作を行うことが困難である。
【００１１】
本発明の目的は、ディスク状記録媒体を収納するカートリッジ本体の大きさに比し大きな記録及び／又は再生用の開口部を設け、大型の記録及び／又は再生機構を用いることを可能となすとともに、大きな開口部を確実に開閉することができるシャッタ機構を備えたディスクカートリッジを提供することにある。
【００１２】
本発明の他の目的は、カートリッジ本体に設けた開口部を確実に閉塞し、カートリッジ本体に収納したディスク状記録媒体の確実な保護を図ることができるディスクカートリッジを提供することにある。
【００１３】
本発明の更に他の目的は、ディスクカートリッジの幅の範囲内に記録及び／又は再生機構を配置し、記録及び／又は再生装置の幅を小さくすることができるディスクカートリッジを提供することにある。
【００１４】
本発明の更に他の目的は、記録及び／又は再生装置への挿入を容易に識別し、確実に記録及び／又は再生装置に装着することができるディスクカートリッジを提供することにある。
【００１５】
【課題を解決するための手段】
上述したような目的を達成するため、本発明に係るディスクカートリッジは、ディスク状記録媒体を回転可能に収納する円形をなす媒体収納部とディスク状記録媒体の少なくとも一部を外方に臨ませる開口部が設けられたカートリッジ本体と、媒体収納部が設けられた領域内でカートリッジ本体の主面に沿って回動されて少なくとも上記開口部を開閉する第１及び第２のシャッタ部材とを備える。このディスクカートリッジの第１のシャッタ部材は、カートリッジ本体に設けられた上記媒体収納部に沿って回動可能に支持され、第２のシャッタ部材は、第１のシャッタ部材に相対関連して回動するようにカートリッジ本体に支持され、第１のシャッタ部材が開口部を覆う第１の位置に移動されたとき、第１のシャッタ部材の一側に密接して上記開口部を覆い、第１のシャッタ部材が上記開口部を開放する第２の位置に回動されたるとき上記開口部を開放する位置に第１のシャッタ部材とともに回動される。また第１のシャッタ部材は、開口部を開放する第２の位置に回動されたとき、開口部の幅方向の側端面に一側が一致する形状とされている。
【００１６】
カートリッジ本体に設けた開口部をカートリッジ本体の主面に沿って移動される第１及び第２のシャッタ部材により開閉するようにしているので、カートリッジ本体の大きさに比し開口部を大きくし、この大型化した開口部を確実に開閉することができる。
【００１７】
開口部を開閉する第２のシャッタ部材は、第１のシャッタ部材に設けた係合保持部に一部を係合保持させることによって、第１のシャッタ部材に相対関連して回動するようにカートリッジ本体に配設されることにより、第２のシャッタ部材を移動させるための独立の機構を設ける必要がないので、複数のシャッタ部材を設けながらシャッタ機構を簡素化することができる。
【００１８】
また、本発明は、上ハーフと下ハーフとを互いに突き合わせ結合したカートリッジ本体内にディスク状記録媒体を回転可能に収納したディスクカートリッジであり、ディスク状記録媒体の信号記録領域の少なくとも内外周に亘って外方に臨ませるカートリッジ本体に設けられた記録及び／又は再生用の開口部と、ディスク状記録媒体を回転駆動する回転駆動手段を進入させる上記カートリッジ本体に設けられた駆動用開口部と、主に記録及び／又は再生用の開口部を開閉する第１のシャッタ部材と、主に駆動用開口部を開閉する第２のシャッタ部材とを有し、第１のシャッタ部材は、記録及び／又は再生用の開口部を開放する位置に回動されたとき、記録及び／又は再生用の開口部の幅方向の側端面に、記録及び／又は再生用の開口部の閉塞時に第２のシャッタ部材と密接する一側が一致する形状とされているシャッタ機構とを備え、カートリッジ本体の一の側面が中央部を膨出させた一連に連続した円弧状面として形成する。カートリッジ本体の一の側面に円弧状面とされることにより、記録及び／又は再生装置への挿入方向を容易に判別することができ、誤挿入を防止して迅速な記録及び／又は再生装置への挿入操作を行うことができる。
【００１９】
更に、本発明は、直径を略１２０ｍｍとなすディスク状記録媒体を回転可能に収納する略円形をなす記録媒体収納部が設けられるとともに記録媒体収納部に収納されたディスク状記録媒体の少なくとも一部を内外周に亘って外方に臨ませる開口部が設けられカートリッジ本体と、このカートリッジ本体の主面に沿って移動されて開口部を開閉する第１及び第２のシャッタ部材とを有するディスクカートリッジであり、第１のシャッタ部材が、その一端部を記録媒体収納部を構成する円弧状をなす収納部形成壁の外周面に沿って形成された溝部に移動可能に支持され、溝部に沿って移動することにより開口部を開閉し、開口部を開放する位置に回動されたとき、開口部の幅方向の側端面に、開口部の閉塞時に第２のシャッタ部材と密接する一側が一致する形状とされている。
【００２０】
シャッタ部材が記録媒体収納部の外側で支持された部分を中心に移動されるので、カートリッジ本体の主面に沿って移動するようにシャッタ部材を配しても、シャッタ部材の支持部を記録媒体収納部の領域内に設ける必要がないので、カートリッジ本体の薄型化を図ることができる。
【００２１】
【発明の実施の形態】
以下、本発明に係るディスクカートリッジを図面を参照して説明する。
【００２２】
このディスクカートリッジ１は、ディスク状記録媒体として、オーディオ情報やビデオ情報などの情報の再記録を可能となす記録可能型、あるいはオーディオ情報やビデオ情報などの情報が予め記録された再生専用型の光ディスク２を収納したものであり、図１及び図２に示すように、上ハーフ３と下ハーフ４とにより構成されるカートリッジ本体５内に光ディスク２を回転可能に収納している。
【００２３】
カートリッジ本体５に収納される光ディスク２は、中心部にセンター孔６が設けられ、このセンター孔６を閉塞するようにして金属板などの磁性材料で形成されたハブ７が取り付けられている。この光ディスク２は、記録及び／又は再生装置側に設けられる回転駆動機構のディスクテーブルに載置され、ディスクテーブル側に設けられたマグネットによりハブ７が吸引されることにより、ディスクテーブルと一体に回転するように装着される。光ディスク２は、ディスクテーブルに装着されたとき、ディスクテーブルの中心に設けたセンタリング部がセンター孔６に係合することによって、ディスクテーブルの回転中心に回転中心を一致させるセンタリングが図られる。
【００２４】
光ディスク２を回転可能に収納するカートリッジ本体５は、図３に示すように、合成樹脂を成形して形成した略矩形状に形成された上ハーフ３と下ハーフ４とを突き合わせ結合して形成される。
【００２５】
カートリッジ本体５を構成する上ハーフ３は、周囲にカートリッジ本体５の周壁を構成する立ち上がり周壁８が形成されている。上ハーフ３の記録及び／又は再生装置への挿入端とされる前面部３ａは、一連に連続して湾曲された円弧状に形成されている。円弧状に形成された前面部３ａには、略中央に切り欠き部３ｂが形成される。この切り欠き部３ｂは、記録及び／又は再生装置に設けられた記録再生機構が進入する。上ハーフ３のの前面部３ａは、カートリッジ本体５の前面部ともなる。上ハーフ３の前面部３ａに直交する相対向する側面は、互いに平行な面とされ、前面部３ａに対向する背面側は、平坦な面として形成されている。このように、上ハーフ３の記録及び／又は再生装置への挿入端となる前面部３ａが円弧状に形成され、他の面と平坦な面として形成されることにより、記録及び／又は再生装置への挿入端を外観上容易に認識することができる。また、各側面を平坦な面とし、全体で矩形状とされた従来広く用いられているディスクカートリッジとの識別を容易に行うことができる。
【００２６】
このディスクカートリッジ１は、図１及び図２に示すように、カートリッジ本体５の前面部を構成する上ハーフ３の前面部３ａのみを円弧状の面として形成し、この前面部３ａに直交する相対向する側面を直線的で互いに平行な平坦な面としているので、これら側面を記録及び／又は再生装置に対する装脱時の挿入ガイド面とすることができ、安定した記録及び／又は再生装置側面を実現できる。
【００２７】
なお、カートリッジ本体５の円弧状の前面部に対向する背面部も円弧状の面とするようにしてもよい。この場合、背面部の円弧は、前面部３ａの円弧より大きくするようにして、ディスクカートリッジ１の前面側と背面側の識別を行うようにすることが望ましい。
【００２８】
ディスクカートリッジ１は、記録及び／又は再生装置への挿入端となる前面部３ａのみを円弧状の面としているので、ディスクカートリッジ１の平面形状を小さくでき、収納される光ディスク２の大きさに比し小型化を図ることができ、このディスクカートリッジ１を用いる記録及び／又は再生装置の小型化を図ることができる。
【００２９】
上ハーフ３の円弧状に形成された前面部３ａと対向する背面側の各コーナ部には、図２及び図３に示すように、記録及び／又は再生装置側に設けられる位置決め手段を構成する位置決めピンが係合する筒状に形成された位置決め部９が設けられている。この位置決め部９は、先端側を開放端とし、基端部側を上ハーフ３によって閉塞された構造とされている。
【００３０】
上ハーフ３に突き合わせられてカートリッジ本体５を構成する下ハーフ４は、図３に示すように、記録及び／又は再生装置への挿入端側の前面部４ａが上ハーフ３の前面部３ａに比して大きな曲率の円弧状である上ハーフ３の前面部３ａを構成する円弧の半径に比し小さな半径の円弧状に形成されている。なお、下ハーフ４の前面部４ａ以外の部分は、上ハーフ３に対応する形状に形成されている。すなわち、下ハーフ４の前面部４ａに直交する相対向する側面は、互いに平行な面とされ、前面部４ａに対向する背面側は、平坦な面として形成されている。
【００３１】
下ハーフ４の内方側の主面には、光ディスク２を収納する円形のディスク収納部１１を構成する円弧状の収納部形成壁１０が一体に立ち上がり形成されている。この収納部形成壁１０は、前面部４ａと同一の曲率をもって形成されている。この下ハーフ４の外周囲には、上ハーフ３の外周囲に立ち上がり形成したカートリッジ本体５の周壁を構成する立ち上がり周壁８に突き合わせられる立ち上がり周壁１２が形成されている。また、下ハーフ４の背面側の立ち上がり周壁１２と収納部形成壁１０とによって囲まれた略三角形状の領域には、上ハーフ３に設けられた位置決め部９が嵌合する嵌合孔１４が穿設されている。
【００３２】
この下ハーフ４には、図２及び図３に示すように、ディスク収納部１１に収納された光ディスク２の信号記録領域の一部を内外周に亘って外方に臨ませるとともに光ピックアップ装置などの記録及び／又は再生手段を臨ませる記録及び／又は再生用の開口部１５と、光ディスク２の中心部に設けたセンター孔６を外方に臨ませるとともに記録及び／又は再生装置側の回転駆動機構のターンテーブルを進入させるための駆動用開口部１６とが形成されている。このディスクカートリッジ１にあっては、記録及び／又は再生用の開口部１５と駆動用開口部１６は、一連に連続して形成されている。
【００３３】
なお、記録及び／又は再生用の開口部１５と駆動用開口部１６とを独立して設けるようにしてもよいが、この場合には、各開口部１５，１６に仕切となる連結部が設けられることになる。このような連結部が設けられると、光ディスク２の信号記録領域を走査する光ピックアップ装置等の記録及び／又は再生機構を光ディスク２内周側まで移動させることができなくなり、光ディスク２の記録容量を十分に確保することができなくなってしまうので、記録及び／又は再生用の開口部１５と駆動用開口部１６は、一連に連続して形成することが望ましい。
【００３４】
記録及び／又は再生用の開口部１５は、図３に示すように、ディスク収納部１１の中央部近傍から下ハーフ４の前面部４ａに亘って略矩形状に形成されている。この開口部１５は、駆動用開口部１６に連続され、下ハーフ４の前面部４ａ側を開放して形成されている。また、駆動用開口部１６は、ディスク収納部１１の中央部に位置して略円形に形成されている。この駆動用開口部１６の内周面側の周囲には、ディスク収納部１１に収納される光ディスク２のセンター孔６の周囲を支持するディスク支持部１６ａが形成される。
【００３５】
カートリッジ本体５は、上述したように下ハーフ４の前面部３ａが上ハーフ３の前面部３ａの曲率より大きな曲率で形成されているため、これら上下ハーフ３，４を互いに突き合わせたとき、図４に示すように、前面部側のコーナ部に上ハーフ３の前面側のコーナ部が突出する。上ハーフ３の下ハーフ４から突出した部分に形成される立ち上がり周壁８は、カートリッジ本体５の厚さ分に相当する高さに形成されている。
【００３６】
カートリッジ本体５の前面部に直交する一方の側面には、図２に示すように、シャッタ開閉部材係合溝１７が設けられている。シャッタ開閉部材係合溝１７は、上ハーフ３と下ハーフ４とが突き合わされることにより、上ハーフ３の立ち上がり周壁８に形成した溝部１７ａと下ハーフ４の立ち上がり周壁１２に形成した凹部１７ｂと突き合わせられて一本の溝として形成される。シャッタ開閉部材係合溝１７は、ディスクカートリッジ１が記録及び／又は再生装置に挿入された際、記録及び／又は再生装置側に設けられるシャッタ開閉機構を構成するシャッタ開閉部材が係合して移動する。シャッタ開閉部材係合溝１７には、後述するロック部材３０の一部が突出する貫通孔１８が穿設されている。
【００３７】
また、カートリッジ本体５を構成する上ハーフ３の前面部３ａ側には、下ハーフ４の前面部４ａと同一曲率の内壁１９が形成されている。この内壁１９は、上下ハーフ３，４を突き合わせたとき、図４及び図５に示すように、下ハーフ４側に設けられた円弧状の収納部形成壁１０の外周側に沿って下ハーフ４の内面に突き合わせられる。そして、上ハーフ３の内壁１９と下ハーフ４の周壁１０との間には、図４及び図５に示すように、後述するシャッタ機構２３の第１のシャッタ部材２５の開閉動作をガイドするシャッタガイド溝２０が形成される。
【００３８】
そして、カートリッジ本体５の前面部側のコーナ部には、図４に示すように、上ハーフ３の立ち上がり周壁８と内壁１９とに囲まれた一対の略三角形状をなす領域が形成される。カートリッジ本体５に設けられるシャッタ開閉部材係合溝１７が位置する側の領域には、図４に示すように、ロック部材３０を回動自在に支持するための支軸２１が突設され、他方の領域には、カバー部材３８を支持するカバー部材支持突起２２が形成される。
【００３９】
カートリッジ本体５を構成する下ハーフ４の底面側には、図４及び図５に示すように、記録及び／又は再生用の開口部１５と駆動用開口部１６を開閉するシャッタ機構２３が配置される凹状をなすシャッタ配置部２４が設けられている。シャッタ配置部２４は、シャッタ機構２３が記録及び／又は再生用の開口部１５と駆動用開口部１６を開閉する際に摺動する範囲に亘って形成されている。
【００４０】
シャッタ配置部２４に配置されるシャッタ機構２３は、記録及び／又は再生用の開口部１５を開閉する第１のシャッタ部材２５と、駆動用開口部１６を開閉する第２のシャッタ部材２６とにより構成されている。第１のシャッタ部材２５と第２のシャッタ部材２６とは、シャッタ配置部２４内において同一平面上に配置されている。なお、シャッタ機構２３は、第１のシャッタ部材２５が主に記録及び／又は再生用の開口部１５を開閉し、第２のシャッタ部材２６が主に駆動用開口部１６を開閉する、例えばいずれか一方のシャッタ部材が、他方のシャッタ部材が開閉する開口部の一部にかかるように進入して記録及び／又は再生用の開口部１５と駆動用開口部１６とを開閉するものであってもよい。
【００４１】
第１のシャッタ部材２５は、合成樹脂や金属板によって形成され、図３に示すように、平板状に形成されたシャッタ部２５ａと、このシャッタ部２５ａの一側に垂直に立ち上がり形成された移動ガイド部２５ｂと、移動ガイド部２５ｂの一端側から突設された操作部２５ｃとにより構成されている。第１のシャッタ部材２５は、図４及び図５に示すように、シャッタ部２５ａが下ハーフ４に形成されたシャッタ配置部２４に位置させ、移動ガイド部２５ｂと操作部２５ｃとをシャッタガイド溝２０に位置させてカートリッジ本体５に取り付けられる。シャッタ部２５ａは、記録及び／又は再生用の開口部１５を閉塞するに足る大きさを有する略台形状に形成され、一側に下ハーフ４の前面部４ａと同一の曲率の円弧状部が形成されている。このシャッタ部２５ａは、ディスク収納部１１の中心を仮想の中心として図４中矢印Ａ1方向及び矢印Ａ2方向に回動して記録及び／又は再生用の開口部１５を開閉する。
【００４２】
シャッタ部２５ａは、円弧状部となされた一側と対向する側縁が第２のシャッタ部材２６と当接する。この第２のシャッタ部材２６と当接する側縁には、第２のシャッタ部２６の一側と互いに重なり合うオーバーラップ部２５ｅが設けられている。なお、このオーバーラップ部２５ｅは、第２のシャッタ部材２６側に設けてもよい。このシャッタ部２５ａには、その主面、すなわちシャッタ配置部２４と対向する面側に、シャッタ部２５ａの移動位置を規制する軸状のガイド突起２７が突設されている。このガイド突起２７は、第２のシャッタ部材２６と当接する一側に面して設けられ、シャッタ部２５ａの一部に一定の厚みを保持することによって、第１のシャッタ部材２５と第２のシャッタ部材２６とが開閉動作された際にずれて重なり合わないようにする。
【００４３】
移動ガイド部２５ｂは、シャッタ部２５ａの一側に形成した円弧状部に沿ってシャッタ部２５ａに対して略垂直に立ち上がり形成されている。この移動ガイド部２５ｂは、シャッタガイド溝２０と同一曲率の円弧状に形成され、シャッタガイド溝２０内を図４中矢印Ａ1方向及び矢印Ａ2方向に移動可能に配設される。移動ガイド部２５ｂは、図２に示すように、シャッタ部２５ａの円弧状部よりさらに長くシャッタガイド溝２０の一端近くまで達する長さに形成され、第１のシャッタ部材２５が一定以上図４中矢印Ａ2方向に移動しないように移動を規制する。また、移動ガイド部２５ｂには、シャッタ機構２３が開放された際に、光ピックアップ等の記録再生機構が進入する凹部２５ｄが設けられる。
【００４４】
移動ガイド部２５ｂは、図１に示すようにシャッタ機構２３が閉塞されている際にはカートリッジ本体５の前面部に形成された切り欠き部３ｂを閉塞し、図８に示すようにシャッタ機構２３が開放された際には凹部２５ｄが切り欠き部３ｄの位置まで移動して、光ディスク２を外方に対して臨ませる開口を前面部に形成する。すなわち、ディスクカートリッジ１は、シャッタ機構２３が閉塞している場合の図２示す高さＨ1に比して、シャッタ機構２３が開放された場合の図８に示す高さＨ2が低くなるように構成される。ディスクカートリッジ１は、凹部２５ｄを設けることにより、記録及び／又は再生装置に設けられた記録再生機構を光ディスク２に対して近接させて移動させることができ、このように光ディスク２と記録再生機構との距離を縮めることにより、このディスクカートリッジ１を用いる記録及び／又は再生装置の薄型化を達成することができる。
【００４５】
また、第１のシャッタ部材２５に設けられる操作部２５ｃは、弾性を有するあるいは可撓性を有する部材により形成され、移動ガイド部２５ｂに比して薄く形成される。この操作部２５ｃは、図４に示すように、移動ガイド部２５ｂと同様にシャッタガイド溝２０内に配設されるとともに、先端部分がシャッタ開閉部材係合溝１７内に突出している。操作部２５ｃは、シャッタ開閉部材係合溝１７に露出している先端部分に操作用突部２８が形成されている。操作部２５ｃは、操作用突部２８がシャッタ開閉部材係合溝１７を移動する記録及び／又は再生装置側に設けられるシャッタ操作機構のシャッタ開閉部材に係合し、このシャッタ開閉部材により図４中矢印Ｃ1方向に押圧されることにより、シャッタ開閉部材係合溝１７内に引き出される。この操作部２５ｃの中途部には、シャッタ係止孔２９が穿設される。シャッタ係止孔２９には、上ハーフ３の立ち上がり周壁８と内壁１９との間に構成された領域に構成された略三角形状の凹部に配設され支軸２１に回動自在に支持されたロック部材３０のロック爪３０ａが係合する。第１のシャッタ部材２５は、操作部２５ｃのシャッタ係止孔２９にロック部材３０のロック爪３０ａが係合することにより開閉動作が規制される。
【００４６】
操作部２５ｃは、弾性を有するあるいは可撓性を有する部材によって形成されていることにより、図４に示すように直線及び曲線を組み合わせた形状の導路を有するシャッタガイド溝２０に沿って、変形しながら円滑に移動することができる。
【００４７】
ロック部材３０は、ロック爪３０ａと、シャッタ開閉部材係合溝１７に設けられた貫通孔１８から一部が突出するロック解除レバー３０ｂと、ロック部材３０を図４中矢印Ｄ方向、すなわちロック爪３０ａの先端をシャッタ係止孔２９に係合させる方向に付勢する板バネ等の弾性体３０ｃとを備えている。
【００４８】
第２のシャッタ部材２６は、図３及び図４に示すように、第１のシャッタ部材２５と同様に、合成樹脂や薄い金属板によって駆動用開口部１６を閉塞するに大きさを有する略扇形に形成されている。第２のシャッタ部材２６は、第１のシャッタ部材２５のガイド突起２７が当接し且つ移動する範囲に亘って補強部３１が形成されている。この補強部３１は、第１のシャッタ部材２５との接触面積を大きくすることにより、確実に第２のシャッタ部材２６の開閉動作を行えるようにする。第２のシャッタ部材２６には、一端近傍に下ハーフ４に穿設された係合孔３２に係合する係合ピン３３が設けられている。第２のシャッタ部材２６は、係合ピン３３を中心として図４中矢印Ｂ1及び矢印Ｂ2方向に移動して駆動用開口部１６を開閉する。
【００４９】
第２のシャッタ部材２６は、図４に示すように、下ハーフ４の凹部に配設された捻りコイルバネ３４によって図４中矢印Ｂ2方向に回動付勢されている。捻りコイルバネ３４は、係合孔３２に挿通され下ハーフ４の略三角形状の凹部内に突出する係合ピン３３が係合する環状のコイル部３４ａと、コイル部３４ａから延長され且つ弾性を有する第１のアーム部３４ｂとこのアーム部３４ｂより長い第２のアーム部３４ｃとにより構成されている。捻りコイルバネ３４は、第２のアーム３４ｃの先端が下ハーフ４に固定されるとともに、第１のアーム部３４ｂが第２のシャッタ部材２６の係合ピン３３に隣接して設けられ且つ下ハーフ４に形成された扇型の長孔３５に挿通されて下ハーフ４の略三角形状の凹部内に突出するコイルバネ押圧ピン３６に当接している。
【００５０】
シャッタ機構２３は、図４及び図６に示すように、第１のシャッタ部材２５と第２のシャッタ部材２６との開閉動作が行われると、シャッタ機構２３の表面に突出されたガイド突起２７及び補強部３１の位置がそれぞれ変位するので、カートリッジ本体５には、下ハーフ４のガイド突起２７と補強部３１との位置が変位する範囲に亘ってシャッタガイド孔３７が形成されている。
【００５１】
上ハーフ３と下ハーフ４とが突き合わされ熱溶着法あるいは接着剤を用いて接合されカートリッジ本体５を形成し、カートリッジ本体５に設けたシャッタ配置部２４にシャッタ機構２３が配設されると、カートリッジ本体５の底面側、すなわち下ハーフ４のシャッタ配置部２４が形成された側にカバー部材３８が取り付けられる。カバー部材３８は、記録及び／又は再生用の開口部１５と駆動用開口部１６とに該当する部分が切り欠かれているとともに、上ハーフ３に設けられた位置決め部９に対応する位置に位置決め部９の開口端を外方に臨ませる孔部３９が形成されている。カバー部材３８は、シャッタ配置部２４に配設されたシャッタ機構２３を保持し且つカートリッジ本体５内に塵埃等が侵入することを防止する。なお、カバー部材３８は、カートリッジ本体５に接着剤等を用いて取り付けられる。ディスクカートリッジ１では、第１の開口として下ハーフ４に記録及び／又は再生用の開口部１５及び駆動用開口部１６を、第２の開口としてカバー部材３８に切り欠きを設けて、光ディスク２の記録領域センター孔６を外方に臨ませる開口部とされる。
【００５２】
ところで、従来、広く用いられているディスクカートリッジに設けられるシャッタ部材は、カートリッジ本体の外方側に取り付けられ、カートリッジ本体の外方側の面に沿って移動するので、シャッタ部材の移動時に、カートリッジ本体の外方側の面に付着された塵埃をシャッタ部材の裏面に付着させ、ディスク収納部内に落としてしまう。
【００５３】
これに対し、本発明に係るディスクカートリッジ１は、カートリッジ本体５を構成する下ハーフ４の外方側の面によって構成させる内壁とこの内壁に重ね合わせるように配設される外壁を構成するカバー部材３８との間に構成される収納空間内に第１及び第２のシャッタ部材２５，２６を配置しているので、これらシャッタ部材２５，２６が移動する際に、カートリッジ本体５の外方側の面に付着する塵埃をシャッタ部材２５，２６に付着させることがない。すなわち、第１及び第２のシャッタ部材２５，２６は、塵埃が付着しやすいカートリッジ本体５の外方側の面を移動することがなく、実質的にカートリッジ本体５の内部を移動するので、カートリッジ本体５の外方側の面に付着する塵埃を光ディスク２が収納されるカートリッジ収納部１１内に侵入することを確実に防止し、カートリッジ本体５に収納した光ディスク２の確実な保護を図ることができる。
【００５４】
なお、第１及び第２のシャッタ部材２５，２６が配置される部分は、カートリッジ本体５の下方側の主面を構成するので、下ハーフ４とカバー部材３８によって構成される空間を大きくすることができない。この空間を大きくすると、カートリッジ本体５が厚くなってしまう。本発明に係るディスクカートリッジ１は、上ハーフ３の内壁１９と下ハーフ４の周壁１０との間に構成されるシャッタガイド溝２０に沿って移動ガイド部２５ｂを移動させてシャッタ部２５ａを回動するようにしているので、シャッタ部２５ａの回動中心に支軸を設ける必要がなくなるので、カートリッジ本体５の底部にシャッタ部材２５，２６を収納する空間を設けてもカートリッジ本体５の底部を薄くでき、カートリッジ本体５の厚さを厚くすることもない。
【００５５】
本発明に係るディスクカートリッジ１は、図７に示すように、シャッタ配置部２４の外側、すなわちシャッタ機構２３の移動領域外で且つカートリッジ本体５の４つのコーナ部に、記録及び／又は再生装置側に設けられる位置決め手機構を構成する高さ方向と水平方向の位置決めを図る位置決めピン及び高さ方向の位置決めを図る高さ位置決めピンによって支持されるカートリッジ支持部４０が構成されている。そして、カートリッジ本体５の背面側のコーナ部に構成されたカートリッジ支持部４０には、前述したように、位置決めピンが係合する位置決め部９が設けられ、カートリッジ本体５の前面側のコーナ部に設けられたカートリッジ支持部４０は、平坦な面のままとされ、高さ位置決めピンによって支持される部分となされている。特に、本発明に係るディスクカートリッジ１は、カートリッジ本体５の記録及び／又は再生装置への挿入側となる前面部が、下ハーフ４側に設けられるディスク収納部１１の円弧より大きな半径を有する一連の円弧状に形成されているので、ディスク収納部１１とカートリッジ本体５の前面部により囲まれた領域を大きくすることができるので、この大きな領域を記録及び／又は再生装置側に設けた位置決め支持機構を構成する高さ位置決めピンによって支持されるカートリッジ支持部４０とすることにより、記録及び／又は再生装置内に設けた高さ位置決めピンによって安定した状態で確実に位置決めして支持することができる。
【００５６】
なお、本発明に係るディスクカートリッジ１は、光ディスク２を収納するディスク収納部１１が構成される部分にシャッタ部材２５，２６を収納するための空間を構成している。この空間を構成するため、下ハーフ５及びカバー部材３８のディスク収納部１１に対応する部分は肉薄に形成されている。また、シャッタ部材２５，２６を収納するための空間を構成する部分が押圧変形されると、この空間が狭められ円滑なシャッタ部材２５，２６の移動を保証することができない。
【００５７】
本発明に係るディスクカートリッジ１は、カートリッジ本体５の前面部のコーナ部にディスク収納部１１が構成されることがなく、しかも、シャッタ部材２５，２６の移動する領域ともならない大きな領域を構成し、この部分をカートリッジ支持部４０としているので、シャッタ部材２５，２６をカートリッジ本体５の底部に沿って移動するように構成し、更にカートリッジ本体５の底部にシャッタ部材２５，２６を収納する空間を設けても、シャッタ部材２５，２６の円滑な移動を保証しながら、記録及び／又は再生装置内に設けた高さ位置決めピンによって安定した状態で確実に高さ方向の位置決めを図って支持することができる。
【００５８】
上述のように構成されたディスクカートリッジ１を記録及び／又は再生装置に挿入され、その後、記録及び／又は再生装置から排出される場合の動作を図面を参照して説明する。
【００５９】
ディスクカートリッジ１は、非使用状態、すなわち記録及び／又は再生装置内に装着されない保管状態においては、図４に示すように第１のシャッタ部材２５は主に記録及び／又は再生用の開口部１５を閉塞した位置に置かれ、第２のシャッタ部材２６は主に駆動用開口部１６を閉塞した位置に置かれている。このディスクカートリッジ１は、ロック部材３０のロック爪３０ａがシャッタ係止孔２９に係合することにより開閉動作が規制された第１のシャッタ部材２５に当接しているため、第１及び第２のシャッタ部材２５，２６は、このロックを解除しない限り移動が規制された状態にある。また、ディスクカートリッジ１は、非使用状態においては、図２に示すように、第１のシャッタ部材２５の移動ガイド部２５ｂにより、前面部３ａに形成された切り欠き部３ｂが閉塞されている。
【００６０】
ディスクカートリッジ１は、記録及び／又は再生装置に装着された状態において、記録及び／又は再生装置内に配設された位置決め機構を構成する水平方向及び高さ方向の装着位置を位置決めする位置決めピンが位置決め部９に設けた係合孔に係合するとともにこの位置決め部９の周部を支持し、さらに、高さ位置決めピンがカートリッジ本体５の前面部側の両側のコーナ部に設けた平坦なカートリッジ支持部４０，４０を支持することにより、水平方向及び高さ方向の位置決めが図られて記録及び／又は再生装置内に装着される。
【００６１】
ディスクカートリッジ１が記録及び／又は再生装置に挿入されると、記録及び／又は再生装置側に設けたシャッタ操作機構のシャッタ開閉部材がカートリッジ本体５の一側に設けたシャッタ開閉部材係合溝１７に係合し、貫通孔１８を介してシャッタ開閉部材係合溝１７に突出したロック部材３０のロック解除レバー３０ｂが図４中矢印Ｃ1方向に押圧される。ロック部材３０は、支軸２１に回動自在に支持されているため、ロック解除レバー３０ｂが図４中矢印Ｃ1方向に押圧されるとロック爪３０ａの先端が図４中反矢印Ｄ方向に回動してシャッタ係止孔２９から外れる。第１のシャッタ部材２５は、ロック爪３０ａの先端がシャッタ係止孔２９から外れると係止状態が解除される。
【００６２】
ディスクカートリッジ１が更に記録及び／又は再生装置内に挿入されると、シャッタ開閉部材がシャッタ開閉部材係合溝１７を図４中矢印Ｃ1方向に更に移動し、シャッタ開閉部材係合溝１７内に突出した第１のシャッタ部材２５の操作部２５ｃに設けた操作用突部２８にシャッタ開閉部材が係合する。操作用突部２８がシャッタ開閉部材に係合されると、操作部２５ｃがシャッタ開閉部材係合溝１７内に引き出される。図４に示すように、操作部２５ｃがシャッタ開閉部材係合溝１７内に引き出されると、図６及び図８に示すように、第１のシャッタ部材２５が回動されて記録及び／又は再生用の開口部１５が開放される。また、ディスクカートリッジ１においては、図８に示すように、記録及び／又は再生用の開口部１５が開放されると、移動ガイド部２５ｂに設けられた凹部１５ｄが記録及び／又は再生装置に設けられる光ピックアップ等の記録再生機構が進入する切欠き部３ｂに位置して、カートリッジ本体５の前面部を開放する。ディスクカートリッジ１は、切り欠き部３ｂを開放することにより光ディスク２に対して記録及び／又は再生装置の記録再生機構を近接させて進入させることができる。
【００６３】
上述したように、第１のシャッタ部材２５が記録及び／又は再生用の開口部１５を開放する方向に回動されると、第１のシャッタ部材２５の回動に伴って位置を変位させるガイド突起２７によって第２のシャッタ部材２６が捻りコイルバネ３４の付勢力に抗して図６中矢印Ｂ1方向に係合ピン３３を中心として回動する。第２のシャッタ部材２６は、第１のシャッタ部材２５の回動が規制される位置まで回動されると、図６及び図８に示すように、駆動用開口部１６を開放する。
【００６４】
ディスクカートリッジ１は、記録及び／又は再生用の開口部１５及び駆動用開口部１６が開放される位置まで記録及び／又は再生装置内に挿入されると、上述したように、位置決め機構によって位置決め支持されて記録及び／又は再生装置内のカートリッジ装着部に装着され、光ディスク２を回転駆動機構のディスクテーブル上に装着される。ここで、回転駆動機構を駆動し、光ディスク２を回転駆動するとともに光ピピックアップ装置等の記録再生機構を駆動させることによって、光ディスクへの情報信号の記録が行われ、又は光ディスク２に記録された情報信号の再生が行われる。
【００６５】
光ディスク２への情報信号の記録が終了し、あるいは光ディスクに記録された情報信号の再生が終了した後、ディスクカートリッジ１を記録及び／又は再生装置からイジェクトするには、イジェクト機構を操作してシャッタ操作機構のシャッタ開閉部材を図６中矢印Ｃ2方向に移動させると、操作用突部２８がシャッタ開閉部材に押圧操作されて同方向に移動され、第１のシャッタ部材２５が記録及び／又は再生用の開口部１５を閉塞する図６中矢印Ａ2方向に回動される。第１のシャッタ部材２５が開口部１５を閉塞する方向に回動されると、第２のシャッタ部材２６も捻りコイルバネ３４の付勢力を受けて図６中矢印Ｂ2方向に回動して駆動用開口部１６を閉塞する。
【００６６】
第１のシャッタ部材２５が図４に示す初期位置に復帰すると、操作部２５ｃに形成されたシャッタ係止孔２９内にロック部材３０のロック爪３０ａが再度係合し、記録及び／又は再生用の開口部１５を閉塞した図２及び図４に示す位置に保持される。第１のシャッタ部材２５が開口部１５を閉塞した位置に回動されると、第１のシャッタ部材２５に当接する第２のシャッタ部材２６も捻りコイルバネ３４の付勢力に抗して係止状態となり記録及び／又は再生用の開口部１５及び駆動用開口部１６が閉塞状態となる。
【００６７】
ところで、本発明に係るディスクカートリッジ１に設けられるシャッタ機構２３は、第１及び第２のシャッタ部材２５，２６により記録及び／又は再生用の開口部１５及び駆動用開口部１６を開閉する構成とされている。第１及び第２のシャッタ部材２５，２６は、開口部１５及び駆動用開口部１６を閉塞する位置に回動されたとき、突き当て部に隙間が発生しないようにオーバーラップするように構成されている。この例では、第１のシャッタ部２５の一側に、図８に示すように段差部２５ａが設けられ、第１及び第２のシャッタ部材２５，２６が開口部１５及び駆動用開口部１６を閉塞する位置に回動されたとき、図２に示すように、段差部２５ａ上に第２のシャッタ部材２６の一部が重ね合わせられ、開口部１５及び駆動用開口部１６を完全に閉塞する。このように第１及び第２のシャッタ部材２５，２６の一部がオーバーラップして開口部１５及び駆動用開口部１６が閉塞されるので、第１及び第２のシャッタ部材２５，２６の突き当て部を介して塵埃がカートリッジ本体５内に侵入することを確実に防止することができる。
【００６８】
このディスクカートリッジ１は、記録及び／又は再生用の開口部１５及び駆動用開口部１６は、分割されカートリッジ本体５に主面を構成する底部に沿って回動する第１及び第２のシャッタ部材２５，２６により開閉されるので、カートリッジ本体５の大きさに比し大きく形成することができる。すなわち、記録及び／又は再生用の開口部１５及び駆動用開口部１６は、カートリッジ本体の一側面に沿って移動するシャッタ部材により開閉される従来のディスクカートリッジに設けられる開口部よりも大きなものとすることができるので、対物レンズを複数備えるような大型の光ピックアップ装置を備えた記録及び／又は再生装置の記録媒体と用いることができる。
【００６９】
さらに、記録及び／又は再生用の開口部１５及び駆動用開口部１６は、ディスクカートリッジ１の記録及び／又は再生装置への挿入方向に沿って設けられているので、ディスクカートリッジの挿入方向に沿って回転駆動機構及び光ピックアップ装置等の記録及び／又は再生手段を直列に配置した記録及び／又は再生装置に容易に装着可能な構成とすることがでる。
【００７０】
また、本発明に係るディスクカートリッジ１は、記録及び／又は再生装置に対して着脱される方向に操作部２５ｃが操作されることによって、第１及び第２のシャッタ部材２５，２６が連携して開閉動作する。したがって、記録及び／又は再生装置は、ディスクカートリッジ１のシャッタ機構２３を開放するためのシャッタ開閉部材として、例えば棒状のピンを着脱口に向けて備えるだけでよく、ディスクカートリッジ１のためのローディング機構を簡略化することができる。
【００７１】
さらに、本発明に係るディスクカートリッジ１は、カートリッジ本体５の側面に延設された操作部２５ｃによってシャッタ機構２３の開閉操作が行われるので、カートリッジ本体５の前面部の形状がシャッタ機構２３によって制限を受けることがない。したがって、上述した説明ではカートリッジ本体５の前面部が円弧状に形成されているとしたが、このカートリッジ本体５の前面部は、収納する光ディスク２に干渉しない範囲で自由な形状で形成することができる。
【００７２】
なお、本発明に係るディスクカートリッジ１においては、第１のシャッタ部材２５のシャッタ部２５ａ、移動ガイド部２５ｂ及び操作部２５ｃを同一の材料により一体に形成してもよいし、それぞれを別の材料によって形成して組み合わせてもよい。また、例えば、シャッタ部２５ａと移動ガイド部２５ｂとを同一の材料により一体に形成し、操作部２５ｃを別の材料によって形成して組み合わせてもよい。すなわち、第１のシャッタ部材２５は、シャッタ部２５ａ、移動ガイド部２５ｂ及び操作２５ｃを、それぞれに要求される可撓性や耐久性等の物理的特性に応じて、適切な材料によって形成することができる。
【００７３】
さらに、本発明に係るディスクカートリッジ１は、下ハーフ４に記録及び／又は再生開口部１５と駆動用開口部１６とが形成されるとしたが、例えば、上ハーフ３にも同様な開口部を形成し、シャッタ機構２３を上ハーフ３にも設けるようにしてもよい。
【００７４】
次に、本発明に係るディスクカートリッジの他の例を説明する。
【００７５】
このディスクカートリッジ５０は、図９に示すように、上ハーフ５２と下ハーフ５３とにより構成されるカートリッジ本体５４内に光ディスク５１を回転可能に収納している。
【００７６】
カートリッジ本体５４に収納される光ディスク５１は、中心部にセンター孔５５が設けられ、このセンター孔５５を閉塞するようにして金属板などの磁性材料で形成されたハブ５１ａが取り付けられている。この光ディスク５１は、記録及び／又は再生装置側に設けられる回転駆動機構のディスクテーブルに載置され、ディスクテーブル側に設けられたマグネットによりハブ５１ａが吸引されることにより、ディスクテーブルと一体に回転するように装着される。光ディスク５１は、ディスクテーブルに装着されたとき、ディスクテーブルの中心に設けたセンタリング部がセンター孔５５に係合することによって、ディスクテーブルの回転中心に回転中心を一致させるセンタリングが図られる。
【００７７】
光ディスク５１を回転可能に収納するカートリッジ本体５４は、図９に示すように、合成樹脂を成形して形成した略矩形状に形成された上ハーフ５２と下ハーフ５３とを突き合わせ結合して形成される。
【００７８】
カートリッジ本体５４を構成する上ハーフ５２は、周囲にカートリッジ本体５４の周壁を構成する立ち上がり周壁５６が形成されている。上ハーフ５２の記録及び／又は再生装置への挿入端とされる前面部５２ａは、一連に連続して湾曲された円弧状に形成されている。この前面部５２ａは、カートリッジ本体５４の前面部ともなる。上ハーフ５２の前面部５２ａに直交する相対向する側面は、互いに平行な面とされ、前面部５２ａに対向する背面側は、平坦な面として形成されている。このように、上ハーフ５２の記録及び／又は再生装置への挿入端となる前面部５２ａが円弧状に形成され、他の面と平坦な面として形成されることにより、記録及び／又は再生装置への挿入端を外観上容易に認識することができる。また、各側面を平坦な面とし、全体で矩形状とされた従来広く用いられているディスクカートリッジとの識別を容易に行うことができる。
【００７９】
このディスクカートリッジ５０は、カートリッジ本体５４の前面部を構成する上ハーフ５２の前面部５２ａのみを円弧状の面として形成し、この前面部５２ａに直交する相対向する側面を直線的で互いに平行な平坦な面としているので、これら側面を記録及び／又は再生装置に対する装脱時の挿入ガイド面とすることができ、安定した記録及び／又は再生装置側面を実現できる。
【００８０】
ディスクカートリッジ５０は、記録及び／又は再生装置への挿入端となる前面部５２ａのみを円弧状の面としているので、ディスクカートリッジ５０の平面形状を小さくでき、収納される光ディスク５２の大きさに比し小型化を図ることができ、このディスクカートリッジ５０を用いる記録及び／又は再生装置の小型化を図ることができる。
【００８１】
上ハーフ５２の円弧状に形成された前面部５２ａと対向する背面側の各コーナ部には、図９に示すように、記録及び／又は再生装置側に設けられる位置決め手段を構成する位置決めピンが係合する筒状に形成された位置決め部５７が設けられている。この位置決め部５７は、先端側を開放端とし、基端部側を上ハーフ５２によって閉塞された構造とされている。
【００８２】
上ハーフ５２に突き合わせられてカートリッジ本体５４を構成する下ハーフ５３は、図９に示すように、記録及び／又は再生装置への挿入端側の前面部５３ａが上ハーフ５２の前面部５３ａに比して大きな曲率の円弧状である上ハーフ５２ａの前面部５２ａを構成する円弧の半径に比し小さな半径の円弧状に形成されている。なお、下ハーフ５３の前面部５３ａ以外の部分は、上ハーフ５２に対応する形状に形成されている。すなわち、下ハーフ５３の前面部５３ａに直交する相対向する側面は、互いに平行な面とされ、前面部５３ａに対向する背面側は、平坦な面として形成されている。
【００８３】
下ハーフ５３にの内方側の主面には、光ディスク５１を収納する円形のディスク収納部５９を構成する円弧状の収納部形成壁５８が一体に立ち上がり形成されている。この立ち上がり周壁５８は、前面部５３ａと同一の曲率をもって形成されている。この下ハーフ５３の外周囲には、上ハーフ５２の外周囲に立ち上がり形成したカートリッジ本体５４の周壁を構成する立ち上がり周壁５６に突き合わせられる立ち上がり周壁６０が形成されている。また、下ハーフ５３の背面側の立ち上がり周壁６０と収納部形成壁５８とによって囲まれた略三角形状の領域には、上ハーフ３に設けられた位置決め部５７が嵌合する嵌合孔６１が穿設されている。
【００８４】
この下ハーフ５３には、図９に示すように、ディスク収納部５９に収納された光ディスク５１の信号記録領域の一部を内外周に亘って外方に臨ませるとともに光ピックアップ装置などの記録及び／又は再生手段を臨ませる記録及び／又は再生用の開口部６２と、光ディスク５１の中心部に設けたセンター孔５５を外方に臨ませるとともに記録及び／又は再生装置側の回転駆動機構のターンテーブルを進入させるための駆動用開口部６３とが形成されている。このディスクカートリッジ５０にあっては、記録及び／又は再生用の開口部６２と駆動用開口部６３は、一連に連続して形成されている。
【００８５】
記録及び／又は再生用の開口部６２は、図９に示すように、ディスク収納部５９の中央部近傍から下ハーフ５３前面部５３ａに亘って略矩形状に形成されている。この開口部５２は、駆動用開口部６３に連続され、下ハーフ５３の前面部５３ａ側を開放して形成されている。また、駆動用開口部６３は、ディスク収納部５９の中央部に位置して略円形に形成されている。この駆動用開口部６３の内周面側の周囲には、ディスク収納部５９に収納される光ディスク５１のセンター孔５５の周囲を支持するディスク支持部６３ａが形成される。
【００８６】
カートリッジ本体５４は、上述したように下ハーフ５３の前面部５３ａが上ハーフ５２の前面部５２ａの曲率より大きな曲率で形成されているため、これら上下ハーフ５２，５３を互いに突き合わせたとき、図１０に示すように、前面部側のコーナ部に上ハーフ５２の前面側のコーナ部が突出する。上ハーフ５２の下ハーフ５３から突出した部分に形成される立ち上がり周壁５６は、カートリッジ本体５４の厚さ分に相当する高さに形成されている。
【００８７】
カートリッジ本体５４の前面部に直交する一方の側面には、シャッタ開閉部材係合溝６４が設けられている。シャッタ開閉部材係合溝６４は、上ハーフ５２と下ハーフ５３とが突き合わされることにより、上ハーフ５２の立ち上がり周壁５６に形成した溝部６４ａと下ハーフ５３の立ち上がり周壁６０に形成した凹部６４ｂと突き合わせられて一本の溝として形成される。シャッタ開閉部材係合溝６４は、ディスクカートリッジ５０が記録及び／又は再生装置に挿入された際、記録及び／又は再生装置側に設けられるシャッタ開閉機構を構成するシャッタ開閉部材が係合して移動する。シャッタ開閉部材係合溝６４には、後述するロック部材７７の一部が突出する貫通孔６５が穿設されている。
【００８８】
また、カートリッジ本体５４を構成する上ハーフ５２の前面部５２ａ側には、下ハーフ５３の前面部５３ａと同一曲率の内壁６６が形成されている。この内壁６６は、上下ハーフ５２，５３を突き合わせたとき、図１０及び図１１に示すように、下ハーフ５３側に設けられた円弧状の収納部形成壁５８の外周側に沿って下ハーフ５３の内面に突き合わせられる。そして、上ハーフ５２の内壁６６と下ハーフ４の収納部形成周壁５８の間には、図１０及び図１１に示すように、後述するシャッタ機構６９の第１のシャッタ部材７１の開閉動作をガイドするシャッタガイド溝６７が形成される。
【００８９】
そして、カートリッジ本体５４の前面部側のコーナ部には、図１０に示すように、上ハーフ５２の立ち上がり周壁５６と内壁６６とに囲まれた一対の略三角形状をなす領域が形成される。カートリッジ本体５４に設けられるシャッタ開閉部材係合溝６４が位置する側の領域には、図１０に示すように、ロック部材７７を回動自在に支持するための支軸６８が突設される。
【００９０】
カートリッジ本体５４を構成する下ハーフ５３の底面側には、記録及び／又は再生用の開口部６２と駆動用開口部６３を開閉するシャッタ機構６９が配置される凹状をなすシャッタ配置部７０が設けられている。シャッタ配置部７０は、シャッタ機構６９が記録及び／又は再生用の開口部６２と駆動用開口部６３を開閉する際に摺動する範囲に亘って形成されている。
【００９１】
シャッタ配置部７０に配置されるシャッタ機構６９は、記録及び／又は再生用の開口部６２を開閉する第１のシャッタ部材７１と、駆動用開口部６３を開閉する第２のシャッタ部材７２とにより構成されている。第１のシャッタ部材７１と第２のシャッタ部材７２とは、回動中心となる端部において重ねられて配設されるとともに、他の部分がシャッタ配置部７０内において同一平面上に配置される。
【００９２】
第１のシャッタ部材７１は、合成樹脂や金属板によって形成され、図９に示すように、平板状に形成されたシャッタ部７１ａと、このシャッタ部２５ａの一側に垂直に立ち上がり形成された移動ガイド部７１ｂと、移動ガイド部７１ｂの一端側から突設された操作部７１ｃとにより構成されている。第１のシャッタ部材７１は、図９及び図１０に示すように、シャッタ部７１ａが下ハーフ５３に形成されたシャッタ配置部７０に位置させ、移動ガイド部７１ｂと操作部７１ｃとをシャッタガイド溝６７に位置させてカートリッジ本体５４に取り付けられる。シャッタ部７１ａは、記録及び／又は再生用の開口部６２を閉塞するに足る大きさを有する略台形状に形成され、一側に下ハーフ５３の前面部５３ａと同一の曲率の円弧状部が形成されている。このシャッタ部７１ａは、ディスク収納部５９の中心を仮想の中心として図１０中矢印Ｅ1方向及び矢印Ｅ2方向に回動して記録及び／又は再生用の開口部６２を開閉する。シャッタ部７１ａは、円弧状部となされた一側と対向する側縁において第２のシャッタ部材７２と当接する。
【００９３】
移動ガイド部７１ｂは、円弧状に形成されたシャッタ部７１ａの一側に形成した円弧状部に沿ってシャッタ部７１ａに対して垂直に立ち上がり形成されている。移動ガイド部７１ｂは、第１のシャッタガイド溝６７と同一曲率の円弧状に形成され、シャッタガイド溝６７内を図１０中矢印Ｅ1及びＥ2方向に摺動可能に配設される。移動ガイド部７１ｂは、図１０に示すように、シャッタ部７１ａの円弧状部よりもさらに長くシャッタガイド溝６７の一端近くまで達する長さに形成され、第１のシャッタ部材７１が一定以上図１０中矢印Ｅ2方向に摺動しないように移動を規制する。また、移動ガイド部７１ｂには、シャッタ機構６９が解放された際に、光ピックアップ等の記録再生機構が進入する凹部７１ｄが設けられる。
【００９４】
移動ガイド部７１ｂは、シャッタ機構６９が閉塞されている際にはカートリッジ本体５４の前面部に形成された切り欠き部を閉塞し、シャッタ機構６９が開放された際には凹部７１ｄが切り欠き部の位置まで移動して、光ディスク５１を外方に対して臨ませる開口を前面部に形成する。ディスクカートリッジ１は、凹部２５ｄを設けることにより、記録及び／又は再生装置に設けられた記録再生機構を光ディスク２に対して近接させて移動させることができ、このように光ディスク２と記録再生機構との距離を縮めることにより、記録及び／又は再生装置の薄型化を達成することができる。
【００９５】
また、第１のシャッタ部材７１に設けられる操作部７１ｃは、弾性を有するあるいは可撓性を有する部材により形成され、移動ガイド部７１ｂに比して薄く形成される。操作部７１ｃは、図１０に示すように、移動ガイド部７１ｂと同様にシャッタガイド溝６７に配設されるとともに、先端部分がシャッタ開閉部材係合溝６４に露出している。操作部７１ｃは、シャッタ開閉部材係合溝６４に露出している先端部分に操作用突部７５が形成されている。操作部７１ｃは、操作用突部７５がシャッタ開閉部材係合溝６４を摺動する記録及び／又は再生装置側に設けられるシャッタ操作機構のシャッタ開閉部材に係合し、このシャッタ開閉部材により図１０中矢印Ｇ1方向に押圧されることにより、シャッタ開閉部材係合溝６４に引き出される。この操作部７１ｃの中途部には、シャッタ係止孔７６が穿設される。シャッタ係止孔７６には、上ハーフ５２の立ち上がり周壁５６と内壁６６との間に構成された領域に構成された略三角形状の凹部に配設され支軸６８に回動自在に支持されたロック部材７７のロック爪７７ａが係合する。第１のシャッタ部材７１は、操作部７１ｃのシャッタ係止孔７６にロック部材７７のロック爪７７ａが嵌入されることにより開閉動作が規制される。
【００９６】
ロック部材７７は、ロック爪７７ａと、シャッタ開閉部材係合溝６４に設けられた貫通孔６５から一部が突出するロック解除レバー７７ｂと、ロック部材７７を図１０中矢印Ｈ方向、すなわちロック爪７７ａの先端をシャッタ係止孔７６に嵌入させる方向に付勢する板バネ等の弾性体７７ｃとを備えている。
【００９７】
第２のシャッタ部材７２は、例えば合成樹脂や金属材料によって形成されるとともに、駆動用開口部６３を閉塞するに足る幅を有する形状に形成されている。第２のシャッタ部材７２は、その主面に、開閉動作の軌道を案内する動作ガイド溝８０に嵌入され、シャッタの開閉動作の軌道を規制するピン７８が２個形成される。
【００９８】
シャッタ機構６９は、第１のシャッタ部材７１と第２のシャッタ部材７２とが第１のシャッタ部材７１に設けられた回動用支軸７３が、第２のシャッタ部材７２に設けられた回動用長孔７４に嵌入されることにより、一方の動作に他方の動作が連動して開閉可能とされる。また、シャッタ機構６９は、回動用孔７６が形成された第２のシャッタ部材７２の部分が段差状に形成されている。このため、シャッタ機構６９は、シャッタ配置部７０がさらに凹状に形成された摺動部７９内に第２のシャッタ部材７２の段差状の部分が配置される。
【００９９】
上ハーフ５２と下ハーフ５３とが突き合わされ熱溶着法あるいは接着剤を用いて接合されカートリッジ本体５４を形成し、カートリッジ本体５４に設けたシャッタ配置部７０にシャッタ機構６９が配設されると、カートリッジ本体５４の底面側、すなわち下ハーフ５３のシャッタ配置部７０が形成された側にカバー部材８１が取り付けられる。カバー部材８１は、記録及び／又は再生用の開口部６２と駆動用開口部６３とに該当する部分が切り欠かれているとともに、上ハーフ５２に設けられた位置決め部５７に対応する位置に位置決め部５７の開口端を外方に臨ませる切欠き部８１ａが形成されている。カバー部材８１は、シャッタ配置部７０に配設されたシャッタ機構６９を保持し且つカートリッジ本体５４内に塵埃等が侵入することを防止する。なお、カバー部材８１は、カートリッジ本体５４に接着剤等を用いて取り付けられる。ディスクカートリッジ５０では、第１の開口として下ハーフ５３に記録及び／又は再生用の開口部６２及び駆動用開口部６３を、第２の開口としてカバー部材８１に切り欠きを設けて、光ディスク５１の記録領域センター孔５５を外方に臨ませる開口部とされる。
【０１００】
ところで、従来、広く用いられているディスクカートリッジに設けられるシャッタ部材は、カートリッジ本体の外方側に取り付けられ、カートリッジ本体の外方側の面に沿って移動するので、シャッタ部材の移動時に、カートリッジ本体の外方側の面に付着された塵埃をシャッタ部材の裏面に付着させ、ディスク収納部内に落としてしまう。
【０１０１】
これに対し、本発明に係るディスクカートリッジ１は、カートリッジ本体５４を構成する下ハーフ５３の外方側の面によって構成させる内壁とこの内壁に重ね合わせるように配設される外壁を構成するカバー部材８１との間に構成される収納空間内に第１及び第２のシャッタ部材７１，７２を配置しているので、これらシャッタ部材７１，７２が移動する際に、カートリッジ本体５の外方側の面に付着する塵埃をシャッタ部材７１，７２に付着させることがない。すなわち、第１及び第２のシャッタ部材７１，７２は、塵埃が付着しやすいカートリッジ本体５４の外方側の面を移動することがなく、実質的にカートリッジ本体５４の内部を移動するので、カートリッジ本体５４の外方側の面に付着する塵埃を光ディスク５１が収納されるカートリッジ収納部５９内に侵入することを確実に防止し、カートリッジ本体５４に収納した光ディスク５１の確実な保護を図ることができる。
【０１０２】
本発明に係るディスクカートリッジ５０は、図１３に示すように、シャッタ配置部７０の外側、すなわちシャッタ機構６９の移動領域外で且つカートリッジ本体５４の４つのコーナ部に、記録及び／又は再生装置側に設けられる位置決め手機構を構成する高さ方向と水平方向の位置決めを図る位置決めピン及び高さ方向の位置決めを図る高さ位置決めピンによって支持されるカートリッジ支持部８２が構成されている。そして、カートリッジ本体５４の背面側のコーナ部に構成されたカートリッジ支持部８２には、前述したように、位置決めピンが係合する位置決め部５７が設けられ、カートリッジ本体５４の前面側のコーナ部に設けられたカートリッジ支持部８２は、平坦な面のままとされ、高さ位置決めピンによって支持される部分となされている。特に、本発明に係るディスクカートリッジ５０は、カートリッジ本体５４の記録及び／又は再生装置への挿入側となる前面部が、下ハーフ５３側に設けられるディスク収納部５９の円弧より大きな半径を有する一連の円弧状に形成されているので、ディスク収納部５９とカートリッジ本体５４の前面部により囲まれた領域を大きくすることができるので、この大きな領域を記録及び／又は再生装置側に設けた位置決め支持機構を構成する高さ位置決めピンによって支持されるカートリッジ支持部８２とすることにより、記録及び／又は再生装置内に設けた高さ位置決めピンによって安定した状態で確実に位置決めして支持することができる。
【０１０３】
本発明に係るディスクカートリッジ５０は、カートリッジ本体５４の前面部のコーナ部にディスク収納部５９が構成されることがなく、しかも、シャッタ部材７１，７２の移動する領域ともならない大きな領域を構成し、この部分をカートリッジ支持部８２としているので、シャッタ部材７１，７２をカートリッジ本体５４の底部に沿って移動するように構成し、更にカートリッジ本体５４の底部にシャッタ部材７１，７２を収納する空間を設けても、シャッタ部材７１，７２の円滑な移動を保証しながら、記録及び／又は再生装置内に設けた高さ位置決めピンによって安定した状態で確実に高さ方向の位置決めを図って支持することができる。
【０１０４】
上述のように構成されたディスクカートリッジ５０を記録及び／又は再生装置に挿入され、その後、記録及び／又は再生装置から排出される場合の動作を図面を参照して説明する。
【０１０５】
ディスクカートリッジ５０は、非使用状態、すなわち記録及び／又は再生装置内に装着されない保管状態においては、図１０に示すように第１のシャッタ部材７１は主に記録及び／又は再生用の開口部６２を閉塞した位置に置かれ、第２のシャッタ部材７２は主に駆動用開口部６３を閉塞した位置に置かれている。このディスクカートリッジ５０は、ロック部材７７のロック爪７７ａがシャッタ係止孔７６に係合することにより開閉動作が規制された第１のシャッタ部材７１に当接しているため、第１及び第２のシャッタ部材７１，７２は、このロックを解除しない限り移動が規制された状態にある。
【０１０６】
ディスクカートリッジ５０は、記録及び／又は再生装置に装着された状態において、記録及び／又は再生装置内に配設された位置決め機構を構成する水平方向及び高さ方向の装着位置を位置決めする位置決めピンが位置決め部５７に設けた係合孔に係合するとともにこの位置決め部５７の周部を支持し、さらに、高さ位置決めピンがカートリッジ本体５４の前面部側の両側のコーナ部に設けた平坦なカートリッジ支持部８２，８２を支持することにより、水平方向及び高さ方向の位置決めが図られて記録及び／又は再生装置内に装着される。
【０１０７】
ディスクカートリッジ５０は、非使用状態、すなわち記録及び／又は再生装置内に装填されていない保管状態においては、図１０に示すように第１のシャッタ部材７１は主に記録及び／又は再生用の開口部６２を閉塞した位置に置かれ、第２のシャッタ部材７２は主に駆動用開口部６３を閉塞した位置に置かれている。このディスクカートリッジ５０は、ロック部材７７のロック爪７７ａがシャッタ係止孔７６係合することにより開閉動作が規制された第１のシャッタ部材７１に当接しているため、第１及び第２のシャッタ部材７１，７２は、このロックを解除しない限り移動が規制された状態にある。
【０１０８】
ディスクカートリッジ５０は、記録及び／又は再生装置内に挿入された状態において、記録及び／又は再生装置内に配設された位置決め機構を構成する水平方向及び高さ方向の装着位置位置決めする位置決めピンが位置決め部５７に設けた係合孔に嵌合するとともに、この位置決め部５７の周部を支持し、さらに高さ位置決めピンがカートリッジ本体５４の前面部側の両側のコーナー部に設けた平坦なカートリッジ支持部８２，８２を支持することにより、水平方向及び高さ方向の位置決めが図られて記録及び／又は再生装置内に装着される。
【０１０９】
記録及び／又は再生装置内に設けたシャッタ操作機構のシャッタ開閉部材がカートリッジ本体５４の一側に形成されたシャッタ開閉部材係合溝６４に係合し、貫通孔６５を介してロック部材７７のロック解除レバー７７ｂが図１０中矢印Ｇ1方向に押圧される。ロック部材７７は、支軸６８によって回動自在に支持されているため、ロック解除レバー７７ｂが図７中矢印Ｇ1方向に押圧されるとロック爪７７ａの先端が図７中反矢印Ｈ方向に回動してシャッタ係止孔７６から外れる。第１のシャッタ部材７１は、ロック爪７７ａの先端がシャッタ係止孔７６から外れると第１のシャッタ部材７１の係止状態が解除される。
【０１１０】
ディスクカートリッジ５０が更に記録及び／又は再生装置内に挿入されると、シャッタ開閉部材がシャッタ開閉部材係合溝６４を図１０中矢印Ｇ1方向に更に移動し、シャッタ開閉部材係合溝６４内に突出した第１のシャッタ部材７１の操作部７１ｃに設けた操作用突部７５にシャッタ開閉部材が係合する。操作用突部７５がシャッタ開閉部材に係合されると、操作部７７ｃがシャッタ開閉部材係合溝６４内に引き出される。図１２に示すように、操作部７１ｃがシャッタ開閉部材係合溝６４に引き出されれると、シャッタ部７１ａと移動ガイド部７１ｂと回動されて記録及び／又は再生用の開口部６２が開放される。
【０１１１】
ディスクカートリッジ５０においては、第１のシャッタ部材７１と第２のシャッタ部材７２が、回動用長孔７４に嵌入した回動用支軸７３の動きに連動して図７中矢印Ｆ1方向に回動して駆動用開口部６３が開放される。
【０１１２】
ディスクカートリッジ５０は、記録及び／又は再生用の開口部６２及び駆動用開口部６３が解放される位置まで記録及び／又は再生装置内に挿入されると、上述したように、位置決め機構によって位置決め支持されて記録及び／又は再生装置内のカートリッジ装着部に装着され、光ディスク５１を回転駆動機構のディスクテーブル上の装着される。ここで、回転駆動機構を駆動し、光ディスク５１を回転駆動するとともに、光ピックアップ装置等の記録再生機構を駆動させることによって、光ディスク５１への情報信号の記録が行われ、又は光ディスク５１に記録された情報信号の再生が行われる。
【０１１３】
光ディスク５１への情報信号の記録が終了し、あるいは光ディスク５１に記録された情報信号の再生が終了した後、ディスクカートリッジ５０を記録及び／又は再生装置からイジェクトするには、イジェクト機構を操作してシャッタ操作機構のシャッタ開閉部材を図１２中矢印Ｇ2方向に移動させると、操作用突部７５がシャッタ開閉部材に押圧操作されて同方向に移動され、第１のシャッタ部材７１が記録及び／又は再生用の開口部６２を閉塞する図１２中矢印Ｅ2方向に回動される。第１のシャッタ部材７１が開口部６２を閉塞する方向に回動されると、第２のシャッタ部材７２も回動用長孔７４嵌入した回動用支軸７３に引っ張っられてその動作に連動して図１２中矢印Ｆ2方向に回動して駆動用開口部６３を閉塞する。
【０１１４】
第１のシャッタ部材７１が図１０に示す初期位置に復帰すると、操作部７１ｃに形成されたシャッタ係止孔７６内にロック部材７７のロック爪７７ａが再度係合し、記録及び／又は再生用の開口部６２を閉塞した図１０に示す位置に保持される。第１のシャッタ部材７１が開口部６２を閉塞した位置に回動されると、第１のシャッタ部材２５と連動して回動動作する第２のシャッタ部材７２も駆動用開口部６３を閉塞した位置に保持され、記録及び／又は再生用の開口部１５及び駆動用開口部１６がともに閉塞状態となる。
【０１１５】
次に、本発明に係る更に他の例を図面を参照して説明する。
【０１１６】
ここに示すディスクカートリッジ１０１の基本的な構成は、前述したディスクカートリッジ１と共通であるので、共通する部分については、共通の符号を付して詳細な説明は省略する。
【０１１７】
このディスクカートリッジ１０１は、図１４及び図１５に示すように、カートリッジ本体１０５の記録及び／又は再生装置への挿入側となる一の側面である前面部１０５ａが円弧状の面として形成されている。前面部１０５ａは、カートリッジ本体の１０５の幅方向の中央部を記録及び／又は再生装置への挿入方向に向かって膨出するような円弧状面として形成されている。この前面部１０５ａは、前述したディスクカートリッジと同様に、カートリッジ本体１０５内に構成される円形をなすディスク収納部１１の曲率の曲率より小さい曲率を持って形成されている。
【０１１８】
したがって、このディスクカートリッジ１０１においても、前面側の両コーナ部には、ディスク収納部１１が位置しない広い領域が構成され、この領域を光ディスク２が位置しないカートリッジ支持部として用いることができる。
【０１１９】
カートリッジ本体１０５の前面部１０５ａに直交する相対向する両側面部１０５ｂ，１０５ｃは、図１４及び図１５に示すように、互いに平行であって、直線状の平坦な面とされている。カートリッジ本体１０５の前面部１０５ａに対向する背面部１０５ｄの両コーナ部は、円弧状部１０６，１０７となされている。これら円弧状部１０６，１０７は、前面部１０５ａの曲率より小さな曲率で形成されている。すなわち、背面部１０５ｄ側に設けられる円弧状部１０６，１０７は、前面部１０５ａの円弧より大きな半径をもって形成され、背面部１０５ｄにも円弧状部１０６，１０７を設けることにより、ディスクカートリッジ１０１の全体が曲率を有する平面形状を有するように形成され、従来の矩形状のディスクカートリッジとの識別を容易となす。さらに、カートリッジ本体１０５の各コーナ部が円弧面とされることにより、ディスクカートリッジ１０１の小型化が図られ、このディスクカートリッジ１０１を用いる記録及び／又は再生装置の小型化を図ることも可能となる。この場合にも、相対向する両側面部１０５ｂ，１０５ｃは、図１４及び図１５に示すように、互いに平行であって、直線状の平坦な面とされているので、これら側面部１０５ｂ，１０５ｃを記録及び／又は再生装置への装脱時のガイド面とすることができ、ディスクカートリッジ１０１の記録及び／又は再生装置への安定した装脱を行うことができる。
【０１２０】
また、前面部１０５ａの曲率と背面部１０５ｄに形成される円弧状部１０６，１０７の曲率を変えることにより、ディスクカートリッジ１０１の前後方向を容易に識別することもできる。
【０１２１】
ところで、図１４及び図１５に示すディスクカートリッジ１０１内には、直径Ｒ1を略１２０ｍｍとなす光ディスク２を収納している。そこで、このディスクカートリッジ１０１のカートリッジ本体１０５は、直径Ｒ1を略１２０ｍｍとなす光ディスク２の外周径を略内接円とする略矩形状に形成することによって、光ディスク２を収納しながら各コーナ部にカートリッジ支持部を構成して最小の大きさになるように形成されている。
【０１２２】
具的的に、カートリッジ本体１０５は、図１６に示すように、前面部１０５ａから背面部１０５ｄに至る側面部１０５ｂ，１０５ｃの幅Ｗ1を１２５ｍｍ〜１２８ｍｍの範囲に設定し、両側面部１０５ｂ，１０５ｃ間に亘る幅Ｗ2も１２５ｍｍ〜１２８ｍｍの範囲に設定した略矩形状に形成されている。
【０１２３】
更に、カートリッジ本体１０５の円弧状の面として形成された前面部１０５ａは、カートリッジ本体１０５の側面部１０５ｂ，１０５ｃの幅Ｗ1若しくは両側面部１０５ｂ，１０５ｃ間に亘る幅Ｗ2を半径Ｒ2と円弧面として形成されている。
【０１２４】
また、カートリッジ本体１０５のシャッタ機構２５によって開閉される各開口部１５，１６が設けられる底面部とは反対側の上面部は、図１４及び図１５に示すように、円弧状の面とされた前面部１０５ａに沿うように略半円状をなす膨出部１０８が設けられている。この膨出部１０８は、０．５ｍｍの高さをもって形成され、この膨出部１０８に囲まれた領域内には、矩形状をなすラベル貼着部１０９となされている。ラベル貼着部１０９は、膨出部１０８によって囲まれることにより、このラベル貼着部１０９に貼着されるラベル１１０の容易な剥離を防止することができる。膨出部１０８とラベル貼着部１０９との間には、図１４及び図１５に示すように、ディスクカートリッジ１０１の記録及び／又は再生装置への挿入方向を示す方向支持部１１１が設けられている。この方向支持部１１１は、膨出部１０８と同様に、カートリッジ本体１０５の一部を膨出させることによってカートリッジ本体１０５と一体に形成されている。
【０１２５】
更にまた、カートリッジ本体１０５の背面部１０５ｄ側には、このディスクカートリッジ１０１を把持するための把持部１１２が設けられている。把持部１１２を設けることにより、記録及び／又は再生装置への装脱時にディスクカートリッジ１０１を確実に把持することができ、記録及び／又は再生装置への容易且つ確実な装脱を行うことができる。この把持部１０１は、カートリッジ本体１０５の一部を膨出させることによってカートリッジ本体１０５と一体に形成されている。
【０１２６】
カートリッジ本体１０５の平坦となされた部分には、図１４に示すように、ラベル貼着部１１３が設けられ、更に、カートリッジ本体１０５に設けられた誤記録検出孔を１１４を開閉するカートリッジ本体１０５内に移動可能に配設された誤記録防止部材１１５の移動操作部１１５ａが貫通孔１１６を介して突出されている。誤記録防止部材１１５は、移動操作部１１５ａを介して移動されることにより、誤記録検出孔１１４を開閉し、カートリッジ本体１０５に収納された光ディスク２に対する情報信号の記録の可否を設定する。
【０１２７】
なお、このディスクカートリッジ１０１においても、カートリッジ本体１０５の背面部１０５ｄ側の両コーナ部には、記録及び／又は再生装置に装着したとき、記録及び／又は再生装置側に設けられる位置決めピンが係合する位置決め部９，９が設けられている。
【０１２８】
【発明の効果】
上述したように、本発明に係るディスクカートリッジは、カートリッジ本体に設けた開口部をカートリッジ本体の主面に沿って移動される第１及び第２のシャッタ部材により開閉するようにしているので、カートリッジ本体の大きさに比し開口部を大きくし、この大型化した開口部を確実に開閉することができる。
【０１２９】
カートリッジ本体に大きな開口部を設けながら、この開口部を確実に開閉することができるので、カートリッジ本体に収納されたディスク状記録媒体の確実な保護を図ることができる。
【０１３０】
更に、本発明に係るディスクカートリッジは、カートリッジ本体の一の側面に円弧状面とされることにより、記録及び／又は再生装置への挿入方向を容易に判別することができ、誤挿入を防止して迅速な記録及び／又は再生装置への挿入操作を行うことができる。
【図面の簡単な説明】
【図１】本発明に係るディスクカートリッジを示す斜視図である。
【図２】本発明に係るディスクカートリッジをシャッタ機構が設けられた底面部側から見た斜視図であって、記録及び／又は再生用の開口及び駆動用開口部がシャッタ機構によって閉塞された状態を示す。
【図３】上記ディスクカートリッジの分解斜視図である。
【図４】記録及び／又は再生用の開口及び駆動用開口部が閉塞されている状態を示す上記ディスクカートリッジの平面図である。
【図５】上記ディスクカートリッジの縦断面図である。
【図６】記録及び／又は再生用の開口及び駆動用開口部が開放された状態を示すディスクカートリッジの平面図である。
【図７】記録及び／又は再生用の開口及び駆動用開口部が閉塞された状態を示す上記ディスクカートリッジの底面図である。
【図８】記録及び／又は再生用の開口及び駆動用開口部が開放された状態を底面側から見た上記ディスクカートリッジの斜視図である。
【図９】本発明に係るディスクカートリッジの他の例を示す分解斜視図である。
【図１０】記録及び／又は再生用の開口及び駆動用開口部が閉塞されている状態を示す上記ディスクカートリッジの平面図である。
【図１１】上記ディスクカートリッジの縦断面図である。
【図１２】記録及び／又は再生用の開口及び駆動用開口部が開放された状態を示すディスクカートリッジの平面図である。
【図１３】記録及び／又は再生用の開口及び駆動用開口部が閉塞された状態を示す上記ディスクカートリッジの底面図である。
【図１４】本発明に係るディスクカートリッジの更に他の例を示す斜視図である。
【図１５】図１４に示すディスクカートリッジの平面図である。
【図１６】図１４に示すディスクカートリッジの底面図である。
【符号の説明】
１  ディスクカートリッジ、  ２  光ディスク、  ３  上ハーフ、  ４  下ハーフ、  ５  カートリッジ本体、  １１  ディスク収納部、  １５  記録及び／又は再生用の開口部、  １６  駆動用開口部、  ２３  シャッタ機構、  ２４  シャッタ配置部、  ２５  第１のシャッタ部材、  ２６  第２のシャッタ部材、３８  カバー部材、  ４０  カートリッジ支持部。
【図１】
0004103258.tif 000002
【図２】
0004103258.tif 000003
【図３】
0004103258.tif 000004
【図４】
0004103258.tif 000005
【図５】
0004103258.tif 000006
【図６】
0004103258.tif 000007
【図７】
0004103258.tif 000008
【図８】
0004103258.tif 000009
【図９】
0004103258.tif 000010
【図１０】
0004103258.tif 000011
【図１１】
0004103258.tif 000012
【図１２】
0004103258.tif 000013
【図１３】
0004103258.tif 000014
【図１４】
0004103258.tif 000015
【図１５】
0004103258.tif 000016
【図１６】
0004103258.tif 000017